(57)【要約】【課題】本発明の目的は、コンパクト化することができ、部品数の削減を図りつつ、外観の変化に富むと共に鑑賞性に優れたからくり時計を提供することである。【解決手段】からくり時計１は、開閉自在に分割配置された複数の可動分割片２１〜２４と、可動分割片２１〜２４を開閉及び自転させるためのモータブロック１１１と、可動分割片２１〜２４の開動により露出される装飾体３０とを有し、装飾体３０の露出状態を変化させるべくモータブロック１１１から伝達された回転駆動により可動分割片２１〜２４を開閉及び自転させる駆動機構１０１とを備える。【選択図】          図８
2007322240.tif 000002
【特許請求の範囲】
【請求項１】
開閉自在に分割配置された複数の分割片と、
前記分割片を開閉及び自転させるための駆動源と、
前記分割片の開動により露出される装飾体とを有し、
前記装飾体の露出状態を変化させるべく前記駆動源から伝達された回転駆動により前記分割片を開閉及び自転させる駆動機構とを備える、
ことを特徴とするからくり時計。
【請求項２】
前記複数の分割片は、少なくとも４つ以上に所定位置を中心に放射状に分割された文字盤であり、
前記駆動機構は、前記複数の分割片全体で模られる外縁が菱形状となるように保持する、
ことを特徴とする請求項１に記載のからくり時計。
【請求項３】
前記複数の分割片は、少なくとも３つ以上に所定位置を中心に放射状に分割された文字盤であり、
前記駆動機構は、前記複数の分割片全体で模られる外縁が風車状となるように保持する、
ことを特徴とする請求項１又は２に記載のからくり時計。
【請求項４】
前記駆動機構は、前記分割片を所定位置において揺動させる、
ことを特徴とする請求項１乃至３の何れかに記載のからくり時計。
【請求項５】
前記駆動機構は、前記分割片を所定位置まで開動させた後に自転させる、
ことを特徴とする請求項１乃至４の何れかに記載のからくり時計。
【請求項６】
前記駆動機構は、
回転中心から偏心した位置に形成され前記駆動源からの回転駆動を出力する出力ピンを有する回転体と、
前記出力ピンの所定範囲の軌跡に沿って形成され前記出力ピンと係合する円弧溝と、スライド案内部とを有すると共に、前記出力ピンの前記所定範囲以上の移動に連動して前記回転体と同心に回転する回転台と、
前記出力ピンと係合し前記出力ピンの所定方向への移動を許容する許容溝と、前記スライド案内部と係合し前記回転台に対して前記所定方向とは異なる方向に自身を案内するスライド案内溝とを有し、前記出力ピンの前記所定範囲の移動に連動して前記所定方向とは異なる方向へスライドすると共に前記回転台の回転と連動して回転するスライド板とを備え、
前記分割片は、前記スライド板に取り付けられる、
ことを特徴とする請求項１乃至５の何れかに記載のからくり時計。
【請求項７】
前記駆動機構は、前記回転台を前記出力ピンから伝達された回転方向と反対方向に付勢する付勢部材を備える、
ことを特徴とする請求項６に記載のからくり時計。
【請求項８】
前記付勢部材によって回転台に与えられる付勢力は、前記回転台毎に最適な値に設定されている、
ことを特徴とする請求項７に記載のからくり時計。
【請求項９】
前記回転台の回転範囲の初期位置を規制する位置規制部を備える、
ことを特徴とする請求項６乃至８の何れかに記載のからくり時計。
【発明の詳細な説明】
【技術分野】
【０００１】
本発明は、からくり時計に関する。
【背景技術】
【０００２】
従来から、時計の文字盤を複数の分割片により構成し、例えば正時になると、この複数の分割片を自転させて、その背後に収納されている装飾体が露出されるようなからくり時計が知られている（特許文献１参照）。
また、複数の分割片を開動させることにより、装飾体を露出されるようなからくり時計が知られている。
【０００３】
【特許文献１】特許第３５６１６６９号公報
【発明の開示】
【発明が解決しようとする課題】
【０００４】
しかし、特許文献１に記載のからくり時計は、装飾体を露出させるために単に分割片を自転させるだけであり、外観の変化に富むとは言いがたかった。
また、複数の分割片を開動させることにより装飾体を露出させるからくり時計では、装飾体を大きく露出させるためには、分割片の開動範囲を大きくする必要があり、時計自体の大きさをコンパクトにすることができないという問題があった。
【０００５】
そこで、本発明は、コンパクト化することができ、部品数の削減を図りつつ、外観の変化に富むと共に鑑賞性に優れたからくり時計を提供することを目的とする。
【課題を解決するための手段】
【０００６】
上記目的は、開閉自在に分割配置された複数の分割片と、前記分割片を開閉作動させるための駆動源と、前記分割片の開動により露出される装飾体とを有し、前記装飾体の露出状態を変化させるべく前記駆動源から伝達された回転駆動により前記分割片を開閉及び自転させる駆動機構とを備えるからくり時計によって、達成できる。
このような構成により、装飾体の露出状態を変化させ、外観の変化に富むと共に鑑賞性に優れたからくり時計を提供できる。
また、分割片が僅かな距離しか開動しない場合であっても、分割片を自転させることにより、装飾体の露出割合を大幅に変化させることができるので、大きさをコンパクトにしつつ、装飾効果の高いからくり時計を提供できる。
【０００７】
また、上記構成において、前記複数の分割片は、少なくとも４つ以上に所定位置を中心に放射状に分割された文字盤であり、前記駆動機構は、前記複数の分割片全体で模られる外縁が菱形状となるように保持する、構成を採用できる。
このような構成により、装飾体の露出状態が変化すると共に複数の分割片が菱形状に保持される。従って、意外性に富むと共に鑑賞性に優れたからくり時計を提供できる。
【０００８】
また、上記構成において、前記複数の分割片は、少なくとも３つ以上に所定位置を中心に放射状に分割された文字盤であり、前記駆動機構は、前記複数の分割片全体で模られる外縁が風車状となるように保持する、構成を採用できる。
このような構成により、装飾体の露出状態が変化すると共に複数の分割片が風車状に保持される。従って、外観の変化に富むと共に鑑賞性に優れたからくり時計を提供できる。
【０００９】
また、上記構成において、前記駆動機構は、前記分割片を所定位置において揺動させる、構成を採用できる。
このような構成により、外観の変化に富むと共に鑑賞性に優れたからくり時計を提供できる。
【００１０】
また、上記構成において、前記駆動機構は、前記分割片を所定位置まで開動させた後に自転させる、構成を採用できる。
このような構成により、装飾体の露出割合を変化させることができる。
【００１１】
また、上記構成において、前記駆動機構は、回転中心から偏心した位置に形成され前記駆動源からの回転駆動を出力する出力ピンを有する回転体と、前記出力ピンの所定範囲の軌跡に沿って形成され前記出力ピンと係合する円弧溝と、スライド案内部とを有すると共に、前記出力ピンの前記所定範囲以上の移動に連動して前記回転体と同心に回転する回転台と、前記出力ピンと係合し前記出力ピンの所定方向への移動を許容する許容溝と、前記スライド案内部と係合し前記回転台に対して前記所定方向とは異なる方向に自身を案内するスライド案内溝とを有し、前記出力ピンの前記所定範囲の移動に連動して前記所定方向とは異なる方向へスライドすると共に前記回転台の回転と連動して回転するスライド板とを備え、前記分割片は、前記スライド板に取り付けられる、構成を採用できる。
このような構成より、回転体の回転により分割片を開閉及び自転させることができ、部品の集約化を図ることができる。
【００１２】
また、上記構成において、前記駆動機構は、前記回転台を初期位置に復帰させるべく、前記出力ピンから伝達された回転方向と反対方向に前記回転台を付勢する付勢部材を備える、構成を採用できる。
このような構成により、回転台を容易に初期位置に復帰させることができる。
【００１３】
また、上記構成において、前記付勢部材によって回転台に与えられる付勢力は、前記回転台毎に最適な値に設定されている、構成を採用できる。
このような構成により、最適な付勢力で回転台を容易に初期位置に復帰させることができる。
【００１４】
また、上記構成において、前記回転台の回転範囲の初期位置を規制する位置規制部を備える、構成を採用できる。
このような構成によって、回転台の回転量を調整することができる。
【発明の効果】
【００１５】
本発明によれば、コンパクト化することができ、部品数の削減を図りつつ、外観の変化に富むと共に鑑賞性に優れたからくり時計を提供できる。
【発明を実施するための最良の形態】
【００１６】
以下、本発明の実施の形態に係るからくり時計について図面を参照して説明する。
図１乃至図５は、本発明に係るからくり時計の一実施形態を示すものであり、図１はその正面図、図２は後述する可動分割片が開動して、装飾体の一部が露出した状態を示す正面図、図３は、開動した可動分割片が４５°自転した状態を示す正面図、図４は、開動した可動分割片が９０°自転した状態を示す正面図、図５は、開動した可動分割片が１８０°自転した状態を示す正面図である。また、図６は、図１のＡ−Ａ断面図である。
【００１７】
この実施形態に係るからくり時計１は、外側輪郭を画定する筐体１１と、この筐体１１の前方を塞ぐガラス１２と、現在時刻を示す時針２及び分針３と、時針２及び分針３の回転軸４と、時針２及び分針３等を駆動するムーブメント５と、放射状に均等に分割された４つの扇状の可動分割片（複数の分割片）２１〜２４と回転軸４の周囲に配置された円状の固定分割片２５とに分割された文字盤２０と、円状の文字盤２０の背後に収納され可動分割片２１〜２４の開動により露出される装飾体３０と、装飾体３０の更に背後に位置し可動分割片２１〜２４を開閉及び自転させる駆動機構１０１〜１０４等から構成される。
装飾体３０は、回転軸４の周囲を囲むように配置された第１装飾体３１と、第１装飾体の周囲に９０°づつ均等に配置された第２装飾体３２とから構成される。
尚、図６には、可動分割片２２、２４を駆動させるための駆動機構１０２、１０４についてのみ図示してある。また、図１乃至図５は、文字盤２０に印刷されている数字については省略している。
【００１８】
図１に示すように、通常時は、可動分割片２１〜２４は閉じられ、装飾体３０は露出されない。
所定時刻になると、図２に示すように、可動分割片２１〜２４は、それぞれ回転軸４を中心として、回転軸４の中心を原点とし、回転軸４に鉛直なＸＹ平面上で放射状に移動して、固定分割片２５から分離する。詳細には、前記ＸＹ平面において可動分割片２１は右方向（Ｘ＋）に移動し、可動分割片２２は下方向（Ｙ−）に移動し、可動分割片２３は左方向（Ｘ−）に移動し、可動分割片２４は上方向（Ｙ＋）に移動する。可動分割片２１〜２４が所定の位置まで開動すると、その背後に収納されている装飾体３０の一部が露出される。より詳細には、可動分割片２１〜２４のそれぞれが放射状に開動することにより第１装飾体３１の一部が露出し、また、隣接する可動分割片同士の隙間から第２装飾体３２が露出される。この第１装飾体３１及び第２装飾体３２は、回転駆動するように構成されている。このように、装飾体３０は凡そＸ字状に露出される。
【００１９】
次に、所定の位置まで開動した可動分割片２１〜２４は、所定の位置において時計方向に自転を開始する。図３に示すように、可動分割片２１〜２４が時計方向に４５°自転をしたときには、可動分割片２１〜２４は、可動分割片全体で模られる外縁が風車状となるように保持される。詳細には各可動分割片２１〜２４の互いに対向する縁以外の縁により模られる可動分割片２１〜２４の全体での外縁が、風車状となるように保持される。
また、各可動分割片２１〜２４の、固定分割片２５に対向する側の縁により、第１装飾体３１は凡そ正方形状に露出される。
【００２０】
次に、図４に示すように、可動分割片２１〜２４が開動されて時計方向に９０°自転する。固定分割片２５を挟んで互いに対向する可動分割片２１、２３及び２２、２４は、互いに異なる方向を向くように保持される。また、装飾体３０は凡そＸ字状に露出される。尚、図４に示した状態で、可動分割片２１〜２４は所定の間、揺動する。
【００２１】
次に、図５に示すように、可動分割片２１〜２４が開動されて時計方向に１８０°自転する。この自転により、装飾体３０が大幅に露出され、第１装飾体３１及び第２装飾体３２の略全てが露出される。また、可動分割片２１〜２４は、可動分割片全体で模られる外縁が菱形状に保持される。詳細には、各可動分割片２１〜２４の互いに対向する縁以外の縁により模られる可動分割片２１〜２４の全体での外縁が、菱形状となるように保持される。
尚、図５に示した状態で、可動分割片２１〜２４は所定の間、揺動する。
以上のように、可動分割片２１〜２４の開動及び自転に応じて、装飾体３０の露出状態が変化する。
【００２２】
次に、可動分割片を駆動させるための駆動機構について説明する。
図７は、駆動機構１０４に伝達される回転駆動を説明するための断面図である。
図７に示すように、可動分割片２１〜２４を開閉作動させるための文字盤用モータブロック（駆動源）１１１が、駆動機構１０４の背後に配置されており、文字盤用モータブロック１１１により回転する駆動カナ１２１に、後述する駆動機構１０４に備えられた回転体４４の外周部に形成された歯車部４４２が噛合し、回転体４４は、駆動カナ１２１に従動して回転する。また、歯車部４４２は、ムーブメント５や装飾体３０の背後に配置されているアイドラギア７０と噛合して、アイドラギア７０は、駆動機構１０４の回転体４４に従動回転する。また、アイドラギア７０の外周方向には、回転体４４以外にも、可動分割片２１〜２３を駆動させるための駆動機構のそれぞれに備えられた回転体が配置されており、図７には図示していないが、アイドラギア７０は、可動分割片２１〜２３を駆動させるための駆動機構のそれぞれに備えられた回転体の外周部に形成された歯車部と噛合し、前記回転体は、アイドラギア７０の回転に従動して回転する。
【００２３】
このように、文字盤用モータブロック１１１の回転駆動は、駆動機構１０４の回転体４４に伝達され、回転体４４からアイドラギア７０へ、アイドラギア７０から可動分割片２１〜２３を駆動させるための駆動機構のそれぞれに備えられた回転体へと伝達される。このような構成により、単一の駆動源で、複数の可動分割片を駆動させることができる。
【００２４】
以上のように、本実施形態に係るからくり時計１は、装飾体３０の露出状態を変化させるべく文字盤用モータブロック１１１から伝達された回転駆動により可動分割片２１〜２４を開閉及び自転させる駆動機構を備えている。
この構成により、装飾体３０の露出状態を変化させ、外観の変化に富むと共に鑑賞性に優れたからくり時計を提供できる。
また、可動分割片２１〜２４が僅かな距離しか開動しない場合であっても、可動分割片を自転させることにより、装飾体３０の露出割合を大幅に変化させることができるので、大きさをコンパクトにしつつ、装飾効果の高いからくり時計を提供できる。
【００２５】
また、図３に示すように、駆動機構は、複数の可動分割片２１〜２４を風車状に保持する。また、図５に示すように、駆動機構は、複数の可動分割片２１〜２４を菱形状に保持する。このような構成により、外観の変化に富むと共に鑑賞性に優れたからくり時計を提供できる。
【００２６】
また、可動分割片２１〜２４は、図４及び図５に示した状態で、所定の間揺動する。このような構成により、外観の変化に富むと共に鑑賞性に優れたからくり時計を提供できる。
【００２７】
また、図７に示すように、装飾体３０を駆動させるための装飾体用モータブロック３１１が、装飾体３０の背後に配置されており、装飾体用モータブロック３１１により回転する駆動カナ３２１は、第２装飾体用歯車３２２と噛合する。この第２装飾体用歯車３２２は、第２装飾体３２と連結され、第２装飾体用歯車３２２の回転に連動して第２装飾体３２が回転する。また、第２装飾体用歯車３２２は、回転軸４回りに回転自在に配置されていると共に上面に第１装飾体３１が固定されている第１装飾体用歯車８０と噛合し、第１装飾体用歯車８０は、第２装飾体用歯車３２２に従動回転する。また、第１装飾体用歯車８０は、他の第２装飾体を駆動させるための第２装飾体用歯車と噛合する。
【００２８】
このように、装飾体用モータブロック３１１の回転駆動は、第２装飾体用歯車３２２に伝達され、第２装飾体用歯車３２２から第１装飾体用歯車８０へ、第１装飾体用歯車８０から他の第２装飾体用歯車への伝達される。このような構成により、単一の駆動源で、複数の装飾体を回転駆動させることができる。
【００２９】
次に、可動分割片を開閉及び自転させる駆動機構について詳細に説明する。
図８は、駆動機構の分解斜視図である。尚、図８に示されている駆動機構は、可動分割片２１を開閉及び自転させるための駆動機構である。
図９は、回転体と回転台との構成を示した図であり、図９（ａ）は、回転台の底面図、図９（ｂ）は、回転体に組み付けた回転台の上面図、図９（ｃ）は、図９（ｂ）のＡ−Ａ断面図、図９（ｄ）は、地板回転軸に形成されたスリットの位置を示した図である。
図１０は、スライド板の構成を示した図であり、図１０（ａ）は、スライド板の正面図、図１０（ｂ）は、図１０（ａ）のＡ−Ａ断面図、図１０（ｃ）は、図１０（ａ）のＢ−Ｂ断面図、図１０（ｄ）は、スライド板の斜視図である。
図１１は、可動分割片の構成を示した図であり、図１１（ａ）は、可動分割片の正面図、図１１（ｂ）は、図１１（ａ）のＡ−Ａ断面図、図１１（ｃ）は、図１１（ａ）のＢ−Ｂ断面図、図１１（ｄ）は、可動分割片の斜視図である。
図１２は、スライド板に可動分割片を取り付けた場合の状態を示す図であり、図１２（ａ）は、可動分割片が初期位置でのスライド板と可動分割片との状態を示した正面図、図１２（ｂ）は、図１２（ａ）のＡ−Ａ断面図、図１２（ｃ）は、図１２（ａ）のＢ−Ｂ断面図、図１２（ｄ）は、スライド板が僅かに移動した状態を示す正面図、図１２（ｅ）は、図１２（ｄ）のＣ−Ｃ断面図である。
【００３０】
図８に示すように、駆動機構１０１は、回転体４１と、回転台５１と、スライド板６１などから構成される。
まず、回転体４１について説明する。図８及び図９（ｃ）に示すように、回転体４１は、地板９０に形成された固定軸９１５を中心に回転自在に保持されると共に、地板９０に形成された凹部に収納される。
また、前述したように、回転体４１の外周部には、アイドラギア７０と噛合する歯車部４１２が形成されている。
また、回転体４１は、回転中心から偏心した位置に一体に形成され、文字盤用モータブロック１１１からの回転駆動を出力する出力ピン４１３を有する。出力ピン４１３は、回転体４１の回転方向に垂直に延伸して形成されており、胴体部４１３１と、胴体部４１３１から延伸して形成され胴体部４１３１より径の小さい先端部４１３２が形成されている。
また、回転体４１は、軸受保持部４１４を有し、後述する回転台５１と摺動自在に当接する。
【００３１】
固定軸９１５は、胴体部９１５１より径の小さい先端部９１５２が延伸して形成されており、胴体部９１５１と先端部９１５２とは径方向の隙間には、トーションバネ４１７を収納するための空間が形成されている。このトーションバネ４１７は、先端部９１５２を巻回するように収納される。また、胴体部９１５１には、図９（ｃ）（ｄ）に示すように、トーションバネ４１７の回転体４１側の下端部４１７１を保持するためのスリット９１６が形成されている。
【００３２】
次に、回転台５１について説明する。
回転台５１は、固定軸９１５の先端部９１５２が貫通する貫通孔５１７１が形成されている。回転台５１は、固定軸９１５の先端部９１５２に形成されたねじ溝と螺合するねじ５１７３により、固定軸９１５の先端部９１５２が貫通孔５１７１を貫通した状態で固定軸９１５に対して摺動回転自在に保持される。
また、回転台５１は、固定軸９１５の先端部９１５２及び胴体部９１５１を囲うように円筒状の脚部５１７２が、回転体４１との対向する方向に延伸して形成されており、脚部５１７２が回転体４１の軸受保持部４１４と摺動回転自在に当接する。以上により、回転台５１は回転体４１に対して高さ方向には所定の位置を保持し、かつ同心に回転可能に保持される。
【００３３】
回転台５１には、貫通孔５１７１の周囲に半円弧状の円弧溝５１３が形成されており、出力ピン４１３の先端部４１３２と係合する。また、円弧溝５１３は、回転体４１の回転に伴って移動する出力ピン４１３の所定範囲の軌跡に沿って形成されている。
また、図９（ａ）〜（ｃ）に示すように、回転台５１の脚部５１７２の内周には、トーションバネ４１７の回転台５１側の上端部４１７２を保持するためのスリット５１６が形成されている。この回転台５１に形成されたスリット５１６と、固定軸９１５に形成されたスリット９１６とは、図９（ｃ）に示すように、互いに１８０°ずれた位置に形成されている。また、トーションバネ４１７は、自然の状態では、両端部が互いに同一方向を向くように形成されているが、スリット５１６、９１６に収納する際には、出力ピン４１３から伝達された回転台５１の回転方向（図９（ｂ）に示した場合で時計方向）と反対方向に付勢するように収納される。即ち、トーションバネ４１７の上端部４１７２を時計方向に捻じるようにして収納される。
これにより、出力ピン４１３が、円弧溝５１３の領域内で時計方向に移動した場合であっても、トーションバネ４１７の付勢力により、脚部５１７２と軸受保持部４１４とが摺動して、回転台５１は、固定軸９１５に対して停止した状態のまま、回転体４１のみが相対的に回転する。
また、詳しくは後述するが、出力ピン４１３が、所定範囲以上の移動をし、円弧溝５１３の端部において位置付けられた状態で更に回転体４１が回転することにより、回転台５１は、回転体４１と連動して回転し始める。
【００３４】
また、回転台５１には、地板９０に向けて突出した位置規制ピン（位置規制部）５１１を有しており、地板９０には、回転台５１に向けて延伸した位置規制片（位置規制部）７１が設置されている。この位置規制ピン５１１と位置規制片７１とが当接することにより、回転台５１の回転角度を規制している。また、トーションバネ４１７により回転台５１は一方方向に付勢されている。従って位置規制ピン５１１は、トーションバネ４１７により付勢された結果、位置規制片７１に対して当接する。位置規制ピン５１１と位置規制片７１が当接した位置が回転台５１の初期位置である。なお、初期位置側の円弧溝５１３の端部は、位置規制ピン５１１と位置規制片７１とが確実に当接するようわずかに余分に形成されている。従って、位置規制ピン５１１と位置規制片７１が当接した時、出力ピン４１３と初期位置側の円弧溝５１３の端部の間にはわずかに隙間が空いている。
【００３５】
また、回転台５１のスライド板６１と対向する面には、スライド板６１のスライドを案内するスライド案内部５１８が形成され、スライド案内部材（スライド案内部）５１９が固定されている。
【００３６】
スライド板６１は、スライド案内部５１８と係合する第１スライド案内溝６１８と、スライド案内部材５１９と係合する第２スライド案内溝６１９とが形成されている。第１スライド案内溝６１８及び第２スライド案内溝６１９は、スライド板６１の長手方向に伸長して形成されている。また、スライド案内部５１８に形成されたねじ溝に螺合するねじ６１８１と、スライド案内部材５１９に形成されたねじ溝５１９１に螺合するねじ６１９１とにより、スライド板６１は、所定方向にスライド自在に回転台５１に組みつけられる。尚、スライド案内部材５１９と回転台５１とは、別体に形成されており、ねじ６１９１により組みつけられる。
また、スライド板６１には、その略中央部に、第１スライド案内溝６１８と垂直方向に伸長して形成された許容溝６１３が形成されている。出力ピン４１３の先端部４１３２は、許容溝６１３に係合する。この許容溝６１３は、出力ピン４１３の所定方向への移動を許容する。このような構成により、出力ピン４１３の所定範囲の移動に連動して、スライド板６１がスライドする。また、スライド板６１は回転台５１の回転に連動して回転する。
【００３７】
次に、可動分割片とスライド板との組みつけについて簡単に説明する。
図１０に示すように、スライド板６１には、許容溝６１３の近傍に突起部６１６が形成されている。また、スライド板６１の両側部には、後述する可動分割片２１を組み付けるための突出部６１４が形成されている。
可動分割片２１は、図１１及び図１２に示すように、スライド板６１の突出部６１４が摺動自在に係合するレール部２１４が形成されている。また、可動分割片２１の略中央部には開口部２１７が形成され、スライド板６１の突起部６１６が、この開口部２１７内に収納されるように組みつけられる。また、図１１には図示していないが、図１２に示すように、線バネ２１６が可動分割片２１のスライド板６１と対向面に形成された取付部２１６１により取り付けられ、突起部６１６は、線バネ２１６と開口部２１７との間に位置するように、可動分割片２１がスライド板６１に取り付けられる。
【００３８】
また、スライド板６１には、パッチン爪６１５が形成されており、このパッチン爪６１５と、可動分割片２１のスライド板６１との対向面に形成された度当り部２１５とにより、可動分割片２１がスライド板６１に対して位置決めされる。図１２（ａ），（ｂ）は、可動分割片２１が開動する前の初期位置において線バネ２１６によりスライド板６１が右方向に付勢されて、パッチン爪６１５と度当り部２１５とにより位置決めされた状態を示している。図１２（ｄ）、（ｅ）は、可動分割片２１とスライド板６１との組み付け前の状態を示したものであり、パッチン爪６１５が度当り部２１５から外れてあり、組付けのためにスライド板６１を左方向にスライドさせ始めた状態を示している。スライド板６１をさらに左方向にスライドさせると上述の位置決め常態となる。
【００３９】
次に、駆動機構１０１の作動について詳細に説明する。
図１３及び図１４は、スライド板のスライドと回転の状態を示した透視図である。尚、可動分割片については省略してある。
図１３（ａ）は、スライド板６１が初期位置に保持されている状態を示しており、可動分割片２１は図１に示されている状態で保持されている。この状態から、出力ピン４１３の先端部４１３２が許容溝６１３及び円弧溝５１３に係合して、回転体４１は時計方向に回転する。
【００４０】
図１３（ｂ）は、図１３（ａ）の状態から回転体４１が時計方向に９０°回転し、出力ピン４１３の先端部４１３２が、許容溝６１３の端部に位置し、円弧溝５１３の中心部に位置した際の状態を示している。出力ピン４１３が円弧溝５１３の中心部に移動することにより、スライド板６１は、出力ピン４１３の先端部４１３２により右方向にスライドし、また、スライド案内部５１８及びスライド案内部材５１９により、スライド板６１のスライド方向が規制される。尚、この状態においては、回転台５１は、回転しない。
【００４１】
図１３（ｃ）は、図１３（ｂ）の状態から更に回転体４１が時計方向に９０°回転し、出力ピン４１３の先端部４１３２が、円弧溝５１３の端部に位置した際の状態を示している。出力ピン４１３の移動により、スライド板６１は、図１３（ｂ）に示した状態よりも更に右方向にスライドする。また、可動分割片２１は、図２に示されている状態で保持される。尚、この状態においても、回転台５１は、回転し始めない。
【００４２】
図１４（ｄ）は、図１３（ｃ）の状態から更に回転体４１が時計方向に４５°回転し、出力ピン４１３の先端部４１３２が、円弧溝５１３の端部に位置付けられた状態で、回転台５１が時計方向に４５°回転した状態を示している。また、回転台５１の回転に連動してスライド板６１も時計方向に４５°回転する。また、可動分割片２１は、図３に示されている状態で保持される。
【００４３】
図１４（ｅ）は、図１４（ｄ）の状態から更に回転体４１が時計方向に９０°回転し、回転台５１、スライド板６１共に回転した状態を示している。
図１４（ｆ）は、図１４（ｅ）の状態から更に回転体４１が時計方向に４５°回転した状態を示しており、可動分割片２１は図５に示されている状態で保持される。
【００４４】
このように、回転体４１の回転により、先端部４１３２が初期位置から円弧溝５１３の端部にまでの移動し、これによりスライド板６１は所定方向にスライドし、先端部４１３２が円弧溝５１３の端部に位置付けられて、スライド板６１と回転台５１と回転体４１とが連動して回転する。このような構成により、回転体４１の回転により可動分割片２１を開閉及び自転させることができる。また、１つの駆動機構で、可動分割片を開閉及び自転させることができるので、部品の集約化を図ることができる。
【００４５】
尚、図１４（ｆ）の状態から、図１３（ａ）の状態にまで復帰する際には、まず、図１４（ｆ）の状態から図１３（ｃ）の状態まで回転体４１を逆転させる。この際トーションバネ４１７の復元力により回転台５１及びスライド板６１が回転体４１の回転に追従して、半時計方向に回転する。回転台５１が図１３（ｃ）に示した初期位置に復帰した後、図１３（ｃ）の状態から図１３（ａ）の状態まで、回転体４１を回転させて可動分割片２１を初期位置まで復帰させる。
このように、トーションバネ４１７は、回転台５１を初期位置に復帰させるべく、出力ピン４１３から伝達された回転方向と反対方向に回転台５１を付勢するので、回転台５１を容易に初期位置に復帰させることができる。
ここで、図１３及び図１４には図示していないが、図１３（ｃ）に示した状態で、トーションバネ４１７の付勢力により回転台５１は、位置規制ピン５１１が、図８に示した位置規制片７１に当接することによって、回転台５１の回転範囲の初期位置を規制している。これにより回転台５１の回転量を調整することができる。
【００４６】
本実施例における可動分割片の回転中心は可動分割片の重心にないため、回転台５１が初期位置にいるときに回転中心に対して荷重にアンバランスが生じる場合がある。例えば可動分割片２3においては、回転台５１の回転中心に対して右側が左側より重たい。
すなわち可動分割片２３は初期位置において回転中心に対して右回りのモーメント荷重がかかっている。
【００４７】
初期状態では位置規制ピン５１１と位置規制片７１を当接させるためにトーションバネによって左回りに付勢力がかかっているが、可動分割片２３においては右回りにモーメント荷重がかかっているため、この付勢力が弱いと位置規制ピン５１１と位置規制片７１との当接状態を保持することができず、右回りのモーメント荷重によって位置規制ピン５１１は位置規制片７１から離れてしまう。
従って、位置規制ピン５１１と位置規制片７１との当接状態を保持させるために必要なトーションバネの付勢力は可動分割片２３の荷重による右回りのモーメントより大きいものでなければならない。
【００４８】
ところで、可動分割片のアンバランスによる荷重モーメントは可動分割片２１乃至２４の全てに発生するが、この荷重モーメントが位置規制ピン５１１と位置規制片７１の当接に及ぼす影響は、それぞれの可動分割片が配置される位置によって異なり、位置によってはほとんど影響がない。
本実施例においては可動分割片２３に最も強く影響がでるため、トーションバネの付勢力もそれに伴って大きなものになるが、その他の可動分割片にそのような付勢力が必要であるとは限らない。
従って、仮に可動分割片２３に必要な付勢力を基準として全ての可動分割片のトーションバネの付勢力をそろえたとすると、可動分割片２３以外の可動分割片にとっては過剰な付勢力でしかない。
【００４９】
この付勢力が大きければ大きいほど、回転台５１とスライド板６１を自転させる際に駆動源にかかる負荷も大きくなる。
つまり可動分割片２３の動作に支障のない付勢力を発生させるトーションバネを可動分割片全てに採用すると、消費電力は無駄に大きなものとなる。
【００５０】
この問題を解決するため本実施例においては各可動分割片毎に必要な付勢力を発生させるのに最適なトーションバネを組付けてある。
より詳細には回転台５１に形成されたスリット５１６と、固定軸９１５に形成されたスリット９１６とによって成される角度によって得られる初期付勢力が最適な値となるように、スリット５１６とスリット９１６とによって成される角度を回転台毎に最適な値となるように形成する。
このようにすることで各可動分割片を円滑に動作させつつ、消費電力を最小限に抑える事が可能となる。
【００５１】
以上本発明の好ましい一実施形態について詳述したが、本発明は係る特定の実施形態に限定されるものではなく、特許請求の範囲に記載された本発明の要旨の範囲内において、種々の変形・変更が可能である。
上記実施例において、可動分割片は、４つに分割された文字盤により構成されるが、このような構成に限定されず、例えば、３つに分割された文字盤であってもよいし、４つ以上に分割された文字盤であってもよい。
上記実施例において、可動分割片は所定位置まで開動した後に自転するが、このような構成に限定されず、例えば、円弧溝の形状を工夫することで開動しつつ自転するようなものであってもよい。
【図面の簡単な説明】
【００５２】
【図１】本発明に係るからくり時計の正面図である。
【図２】可動分割片が開動して、装飾体の一部が露出した状態を示す正面図である。
【図３】開動した可動分割片が４５°自転した状態を示す正面図である。
【図４】開動した可動分割片が９０°自転した状態を示す正面図である。
【図５】開動した可動分割片が１８０°自転した状態を示す正面図である。
【図６】図１のＡ−Ａ断面図である
【図７】駆動機構１０４に伝達される回転駆動を説明するための断面図である。
【図８】駆動機構の分解斜視図である。
【図９】回転体と回転台との構成を示した図である。
【図１０】スライド板の構成を示した図である。
【図１１】可動分割片の構成を示した図である。
【図１２】スライド板に可動分割片を取り付けた場合の状態を示す図である。
【図１３】スライド板のスライドと回転の状態を示した透視図である。
【図１４】スライド板のスライドと回転の状態を示した透視図である。
【符号の説明】
【００５３】
１                        からくり時計
２                        時針
３                        分針
４                        回転軸
５                        ムーブメント
１１                      筐体
１２                      ガラス
２０                      文字盤
２１〜２４                可動分割片
２１４                    レール部
２１６                    線バネ
２１６１                  取付部
２１５                    度当り部
２１７                    開口部
２５                      固定分割片
３０                      装飾体
３１                      第１装飾体
３２                      第２装飾体
４１                      回転体
４１２                    歯車部
４１３                    出力ピン
４１３１                  胴体部
４１３２                  先端部
４１４                    軸受保持部
４１７                    トーションバネ
４１７１                  下端部
４１７２                  上端部
５１                      回転台
５１１                    位置規制ピン
５１３                    円弧溝
５１６                    スリット
５１７１                  貫通孔
５１７２                  脚部
５１８                    スライド案内部
５１９                    スライド案内部材
６１                      スライド板
６１３                    許容溝
６１４                    突出部
６１５                    パッチン爪
６１６                    突起部
６１８                    第１スライド案内溝
６１９                    第２スライド案内溝
７０                      アイドラギア
７１                      位置規制片
８０                      第１装飾体用歯車
９０                      地板
９１５                    固定軸
９１５１                  胴体部
９１５２                  先端部
９１６                    スリット
１０１、１０４            駆動機構
１１１                    文字盤用モータブロック
１２１                    駆動カナ
３１１                    装飾体用モータブロック
【図１】
2007322240.tif 000003
【図２】
2007322240.tif 000004
【図３】
2007322240.tif 000005
【図４】
2007322240.tif 000006
【図５】
2007322240.tif 000007
【図６】
2007322240.tif 000008
【図７】
2007322240.tif 000009
【図８】
2007322240.tif 000010
【図９】
2007322240.tif 000011
【図１０】
2007322240.tif 000012
【図１１】
2007322240.tif 000013
【図１２】
2007322240.tif 000014
【図１３】
2007322240.tif 000015
【図１４】
2007322240.tif 000016